(57)【要約】【課題】高純度の浄水を提供し、相異なる容量の容器を効果的に支持できる浄水自動販売機を提供する。【解決手段】相異なる容量の浄水購買用容器が受容されるとともに、浄水出水口111aおよび殺菌水排出口111bがそれぞれ備わってドア122により開閉される容器受容部111及び前記容器受容部111に受容される容器を支持する容器支持手段200を含むキャビネット100と；原水を浄水して前記浄水出水口111aに供給する浄水手段20と；機器の作動を総括的に制御するマイクロプロセッサと；を含んで構成された浄水自動販売機であって、前記キャビネット100の容器支持手段200は、駆動源と、互いに十字状に交差して形成される第１支持プレート及び第２支持プレート230、240からなり、容器の種類によって前記容器の注入口が前記浄水出水口111aに対応するように前記駆動源を介して駆動されるグリッパー200と、から浄水自動販売機を構成する。【選択図】図３
2005196775.tif 000002
【特許請求の範囲】
【請求項１】
相異なる容量の浄水購買用容器が受容されるとともに、浄水出水口および殺菌水排出口がそれぞれ備わってドアにより開閉される容器受容部及び前記容器受容部に受容される容器を支持する容器支持手段を含むキャビネットと;
原水を浄水して前記浄水出水口に供給する浄水手段と;
機器の作動を総括的に制御するマイクロプロセッサと；を含んで構成された浄水自動販売機であって、
前記キャビネットの容器支持手段は、駆動源と、互いに十字状に交差して形成される第１及び第２支持プレートからなり、容器の種類によって前記容器の注入口が前記浄水出水口に対応するように前記駆動源を介して駆動されるグリッパーと、から構成されたことを特徴とする浄水自動販売機。
【請求項２】
前記第１及び第２支持プレートは、垂直部と、これら垂直部の端部からそれぞれ屈曲成形された容器の首支持部及び底支持部と、を備えて略コ字状に形成され、相互間が十字状に交差結合されて構成されたことを特徴とする請求項１記載の浄水自動販売機。
【請求項３】
前記容器の首支持部には、前記容器の首に向かって集められるか広がるように形成されて前記容器の首を支持する一対の支持片がさらに備わることを特徴とする請求項２記載の浄水自動販売機。
【請求項４】
前記一対の支持片は、その両端が前記一対の支持片にそれぞれ固定されて前記支持片を弾支する弾性部材を介して連結されることを特徴とする請求項３記載の浄水自動販売機。
【請求項５】
前記浄水手段は、原水供給源から順に設置されるマイクロフィルタと、カーボンフィルタと、逆浸透圧ユニットと、紫外線殺菌機と、後処理カーボンフィルタと、両端が前記逆浸透圧ユニットの入口側および後処理カーボンフィルタの出口側にそれぞれバルブを通して連結され、浄水を保存する途中で前記逆浸透圧ユニットを所定時間停止した後、再び稼働される場合、保存された浄水を前記逆浸透圧ユニットに供給して前記逆浸透圧ユニット内の原水を排水する圧力タンクと、を含んで構成されたことを特徴とする請求項１記載の浄水自動販売機。
【請求項６】
前記容器受容部の内壁に設置され、容器の有無によってオン/オフ接点になるスイッチと
、前記第１および第２支持プレートの前後にスライディング自在に設置され、容器の投入時、前記スイッチをオンにするプッシャーと、から構成される容器有無感知手段がさらに含まれたことを特徴とする請求項１記載の浄水自動販売機。
【請求項７】
前記プッシャーは、前記第１および第２支持プレートの底部の前後にスライディング自在に設置され、先端部に容器が接触される水平部と、前記水平部の後端部から屈曲されて前記スイッチを動作する押し部と、から構成されたことを特徴とする請求項６記載の浄水自動販売機。
【請求項８】
前記プッシャーを前記容器側に弾支するとともに、容器がないとき、前記スイッチがオフ接点になる弾性部材がさらに含まれたことを特徴とする請求項６または７記載の浄水自動販売機。
【発明の詳細な説明】
【技術分野】
【０００１】
本発明は、浄水自動販売機に関するもので、詳しくは、高純度の浄水を提供し、使用が便利であり、容量が相異なる容器に浄水を供給できる浄水自動販売機に関するものである。
【背景技術】
【０００２】
最近、生活水準が向上するにつれて、浄水器の使用が一般化されるようになった。
かかる浄水器を使用する際に、浄水された水を入れた容器(水桶)は、使用が終了される度に頻繁に取り替えるようになっており、いままでは、浄水販売者が前記容器を所定周期ごとに取り替えるサービスを提供してきた。したがって、浄水販売者側の配達なしでは、必要な時点に実時間に浄水が確保されないため、浄水器を使用できないという不便さがあった。このような問題点を解決するために、営業所、事業所、スーパーマーケット、ガソリンスタンド、食堂前、人が多く集まる通り、アパート団地などに設置され、顧客の要求に合せて浄水を提供する浄水自動販売機が提案された（例えば、特許文献１〜３）。
【０００３】
浄水自動販売機は、上水道などで原水を受けて浄水した後、購買者に供給するものであって、キャビネットと、原水を浄水する浄水手段と、から構成される。従来の浄水自動販売機の使用方法を簡略に説明すると、購買者が容器をキャビネットに投入して料金を支払うと、コントローラが光センサから入力される信号および投入金額を確認した後、浄水の出水を命令することで、所定量(料金により定められた量)の浄水が容器に充填される。
【０００４】
ここで、容器の有無は、光センサにより感知される。しかしながら、従来の浄水自動販売機には、次のような問題点があった。第一に、浄水自動販売機が長時間使用されない場合、逆浸透圧ユニットに濃度差による浸透圧が発生することで、原水中の高農度のイオンが生産水(浄水)に移動してＴＤＳ（Total Dissolved solid;総溶存固形物質）が急激に上昇するため、完璧に浄水されない水が提供されるという問題点があった。第二に、浄水の購買が容器単位に行われるため、浄水の購入時、購買者が容器を各サイズに合わせて直接浄水自動販売機に挿入すべきであるという問題点があった。第三に、容器の挿入を感知するために光センサが使用されるが、キャビネットの内部が埃などにより汚染されて正確なセンシングが行われないため、機器の誤動作が発生するという問題点があった。
【０００５】
【特許文献１】特開２０００−１８２１４６号公報
【特許文献２】特開２００２−２６９６３２号公報
【特許文献３】特開２００３−１４１６２９号公報
【発明の開示】
【発明が解決しようとする課題】
【０００６】
本発明は、従来の問題点を解決するためになされたもので、機器が長時間使用されない場合も、完璧に浄水された水を提供できる浄水自動販売機を提供することを目的とする。また、浄水を購買するとき、相異なるサイズの容器をも受容することで、容器の投入作業を単純にすることを目的とする。また、容器の有無を正確に感知することで、誤動作を発生させないことを目的とする。
【課題を解決するための手段】
【０００７】
前記目的を達成するために、本発明による浄水自動販売機は、相異なる容量の浄水購買用容器が受容されるとともに、浄水出水口および殺菌水排出口がそれぞれ備わってドアにより開閉される容器受容部及び前記容器受容部に受容される容器を支持する容器支持手段
を含むキャビネットと;原水を浄水して前記浄水出水口に供給する浄水手段と;機器の作動を総括的に制御するマイクロプロセッサと；を含み、前記キャビネットの容器支持手段は、駆動源と、互いに十字状に交差して形成される第１支持プレート及び第２支持プレートからなり、容器の種類によって前記容器の注入口が前記浄水出水口に対応するように前記駆動源を介して駆動されるグリッパーと、から構成されたことを特徴とする。
【発明の効果】
【０００８】
本発明による浄水自動販売機は、如何なる場所でも高純度の浄水が提供されるので、浄水自動販売機としての信頼性を向上できるという効果がある。また、容器の選択によって容器を固定するグリッパーが自動に回転するため、購買者が容器を単純に挿入して出水位置にセッティングすることで、浄水の購買作業が単純になるとともに、容器の挿入時に騷音が発生しないという効果がある。また、容器の投入時、容器がプッシャーを押すとスイッチがオン接点になり、容器受容部が埃などで汚染された場合も、容器の有無を正確に感知して誤動作を防止できるという効果がある。
【発明を実施するための最良の形態】
【０００９】
以下、本発明の実施の形態を図面に基づいて説明する。
本発明の特徴及び利点は、図面に基づく詳細な説明により一層明白になるはずである。また、本明細書及び特許請求の範囲で使用された用語は、発明者が自身の発明を最善の方法により説明するために用語の概念を適切に定義できるという原則に基づき、本発明の技術的思想に符合する意味および概念に解釈されるべきである。
【００１０】
本発明による浄水自動販売機は、キャビネットと、原水供給手段と、該原水供給手段から原水を受けて浄水する浄水手段と、機器の動作をモニタリング/総括的に制御するマイ
クロプロセッサと、から構成される。図１に示すように、キャビネット１００は、その内部に前記原水供給手段及び浄水手段が装着される本体１１０と、この本体１１０の前面部の左右にそれぞれ分割形成されて互いに独立的に開閉される第１ドア及び第２ドア１２０,１３０と、から構成される。
【００１１】
また、本体１１０は、前方が開口された構造であり、一側(第１ドア１２０側)には、前方が開口されて浄水購買用容器が受容される容器受容部１１１が形成される。容器受容部１１１に対する具体的な説明は、後述することにする。第１ドア１２０には、容器支持部１２１が容器受容部１１１の下側に位置するように形成される。
【００１２】
第２ドア１３０には、機器の動作状態を表示するためのディスプレイ部１３１、料金投入口１３２、料金返還レバー１３３及び料金返還口１３４が備わる。また、ディスプレイ部１３１は、浄水自動販売機の使用法、製品広告、投入料金金額、充水状態などが画面に出力されるモニター１３１ａ及び音声で情報を提供するスピーカー１３１ｂにより構成され、料金投入口１３２には、コイン、紙幣、クレジットカードなどの料金支払手段が使用される。各構成要素の位置は、前述したことに限定されず、自由に変形することができる。
【００１３】
容器受容部１１１の開口部には、該容器受容部１１１を開閉する透明な受容部ドア１２２(図１を参照)が設置され、その内部上側には、浄水手段を通して浄水された浄水を浄水購買用容器に供給する浄水出水口１１１ａが配置されるとともに、その下側には、浄水を出水する前に浄水購買用容器の内部を殺菌するためのオゾン殺菌水排出口１１１ｂが配置される。受容部ドア１２２は、モータおよびモータワイヤーレールにより上下に昇降されながら容器受容部１１１を開閉することができ、上下感知センサにより上下位置を感知することができる。
【００１４】
前述したように、浄水購買用容器の内部を殺菌するとき、容器のキャップをも殺菌するように、第２ドア１３０には、ドア１３５ａにより開閉されるとともに、紫外線殺菌機１３５ｂを設けたキャップ殺菌部１３５が形成される。すなわち、容器のキャップは、キャップ殺菌部１３５に投入された後、紫外線殺菌機１３５ｂにより殺菌される。
【００１５】
また、容器受容部１１１には、相異なるサイズの容器、例えば２リットルの容器および１ガロンの容器が全て使用され、如何なるサイズの容器をも支持できる容器支持手段が備わる。図３に示すように、容器支持手段２００は、駆動源としての駆動モータ２１０、この駆動源により回転しながら選択された容器を支持するグリッパー２２０、及びこのグリッパー２２０の駆動を制御するマイクロプロセッサ(図示せず)により構成される。
【００１６】
駆動源は、容器選択スイッチの操作により電源を受けてグリッパーを回転するモータ２１０であって、その制御方式としては、容器選択スイッチを一回押してグリッパー２２０を定められた位置(浄水出水口１１１ａの位置)に回転するか、または、容器選択スイッチを押すときのみにグリッパー２２０を回転する方式がある。図４に示すように、グリッパー２２０は、容器のサイズ別に区分されるが、２種類のサイズの容器を使用する場合、第１支持プレート２３０および第２支持プレート２４０に区分される。すなわち、容器のサイズによって支持プレートが形成される。
【００１７】
第１支持プレート及び第２支持プレート２３０,２４０は、垂直部２３１,２４１、これら垂直部２３１,２４１の両側にそれぞれ同一方向に屈曲形成された一対の支持部２３２,２４２、２３３,２４３により構成された略コ字状であり、互いに十字状に交差結合され
る。ここで、第１支持部は、容器の首支持部２３２,２４２であり、第２支持部は、容器
の底支持部２３３,２４３である。
【００１８】
容器の首支持部２３２,２４２は、前方に向かって開口される挿入孔２３２ａ,２４２ａが備わって容器の首部を支持し、底支持部２３３,２４３は、容器の底部を支持するもの
であり、このとき、容器の首部が自然に挿入されるように、挿入孔２３２ａ,２４２ａが
容器の首部よりも大きい幅で形成され、挿入孔２３２ａ,２４２ａに挿入された容器の首
部を堅固に固定するように、容器の首支持部２３２,２４２には、容器の首部を固定する
一対の支持片２３４,２３５、２４４,２４５がさらに設置される。
【００１９】
図５に示すように、一対の支持片２３４,２３５、２４４,２４５は、板状に形成されており、その相互対向面には、容器の首部と接触されてこれを支持する曲線型支持溝２３４ａ,２３５ａ、２４４ａ,２４５ａがそれぞれ備わる。また、図４に示すように、一対の支持片２３４,２３５、２４４,２４５は、容器の首挿入孔２３２ａ,２４２ａの両側にそれ
ぞれ配置されるとともに、その後端部が容器の首支持部２３２,２４２にそれぞれ回転ピ
ン２３４ｂ,２３５ｂ、２４４ｂ,２４５ｂを介して回転自在に設置されることで、その先端部が広がるか集められて容器の首部を支持する。
【００２０】
このとき、一対の支持片２３２,２３３、２４２,２４３が容器の首部を弾支するように、一対の支持片２３２,２３３、２４２,２４３は、コイルスプリング２３６,２４６など
の弾性部材を通して連結される。コイルスプリング２３６,２４６は、一対の支持片２３
４,２３５、２４４,２４５の底部に配置されるとともに、その両側が回転ピン２３４ｂ,
２３５ｂ、２４４ｂ,２４５ｂとそれぞれ離隔されて固定される。
【００２１】
一対の支持片２３４,２３５、２４４,２４５の間には、それら支持片２３４,２３５、
２４４,２４５の位置および弾性変形によるコイルスプリング２３６,２４６の位置を定めるためのガイド片２３７,２４７がそれぞれ固定される。ガイド片２３７,２４７には、コイルスプリング２３６,２４６が挿入されて離脱されないようにスプリング挿入溝２３７
ａ,２４７ａが形成される。
【００２２】
一対の支持片２３４,２３５、２４４,２４５は、その底部が段差を有して形成される。図８に示すように、原水供給手段１０は、上水源から原水を供給する原水配管１１と、原水をポンピングして原水を原水配管１１を通して浄水手段に供給する原水ポンプ１２と、から構成される。
【００２３】
浄水手段２０は、原水を受けてこの原水に含まれた異物質、濁質、浮遊物質などを除去するマイクロフィルタ２１と、このマイクロフィルタ２１を通過した原水中に存在する有機物、臭い成分、味成分、残留塩素を除去するカーボンフィルタ２２と、このカーボンフィルタ２２を通して処理された原水中に残留するイオン性物質、濁質、バクテリアなどを除去する逆浸透圧ユニット２３と、この逆浸透圧ユニット２３を通過した原水中に含まれた微生物、バクテリア、一般の細菌を殺菌処理する紫外線殺菌機２４と、この紫外線殺菌処理された原水の臭い成分を完全に除去する後処理カーボンフィルタ２５と、から構成される。
【００２４】
本発明による浄水自動販売機によると、従来の逆浸透圧ユニットの問題点であったＴＤＳクリープ(creep)現象(長時間待機した後で使用するとき、初期ＴＤＳが上昇する現象)
を解決するために、圧力タンク２６と、この圧力タンク２６に対する原水および浄水の流出入を制御するバルブと、がさらに構成される。圧力タンク２６は、その両端部が逆浸透圧ユニット２３の入口側および後処理カーボンフィルタ２５の出口側にそれぞれ連結され、それらの間にバルブ２６ａ,２６ｂがそれぞれ装着される。
【００２５】
これによって、浄水手段の初期稼動時、第２バルブ２６ｂが開放されることで、生産水(浄水)が圧力タンク２６に流入されて保存され、浄水が保存されて圧力が一定になると、第２バルブ２６ｂが閉鎖される。浄水自動販売機が所定時間(例えば、３０分)以上使用されずに待機される場合(原水ポンプ１２の稼動可否をタイマーで測定して待機を感知)、第１バルブ２６ａを開放して圧力タンク２６内部の浄水を逆浸透圧ユニット２３のメンブレインハウジングに供給し、逆浸透圧ユニット２３のメンブレイン中に残存する原水を排水しながら浄水を充填する。
【００２６】
すなわち、長時間(約２０〜３０分)自動浄水販売機が待機された後で使用されると、逆浸透圧ユニットのメンブレインを間に置いて原水と浄水との濃度差による浸透圧が発生し、原水中の高農度イオンが浄水に移動して濃度平衡が行われるため、ＴＤＳが急激に上昇するが、本発明によると、逆浸透圧ユニット２３内部に浄水が充填されるため、ＴＤＳが上昇しなくなる。
【００２７】
図９に示すように、逆浸透圧ユニット２３は、フィルタ２３ａの上下(図面を基準)両側にそれぞれ結合されるマニホールド２７を通して単純な構造で配管される。マニホールド２７は、管挿入部２７ａおよび流路２７ｂを有する複数のマニホールドブロック２７-１,２７-２,２７-３(図面には３個に示したが、フィルタ２３ａの数量によってその数量も変わる)が互いに連結され、各流路２７ｂも互いに連通される。多数のフィルタ２３ａのう
ち一つの内部には、水中ポンプが設置されるが、該水中ポンプがフィルタに内蔵されると、振動騷音が著しく減少される。
【００２８】
本発明による浄水自動販売機は、容器の有無を確認して容器がグリッパーに正確に受容されると、出水が開始されるもので、このために、容器有無感知手段３００(図１０を参
照)がさらに含まれる。図１０および図１１に示すように、容器有無感知手段３００は、
容器受容部１１１が汚染された場合も、容器の有無を正確にセンシングするように構成されており、オン・オフ接点になってコントローラに信号を発生するスイッチ３１０と、容
器がグリッパー２２０に投入されるとき、容器により移動されてスイッチ３１０をオン接点にするプッシャー３２０と、から構成される。
【００２９】
プッシャー３２０は、容器が受容されるグリッパー２２０の全ての部分に設置されるが、容器の首部に対応する容器の首支持部２３２に設置されることが好ましく、第１支持プレート２３０の容器の首支持部２３２の底面に前後にスライディング自在に結合される水平部３２１と、この水平部３２１の後端部から屈曲され、スイッチ３１０を押してオン接点にする押し部３２２と、から構成される。プッシャー３２０が前後にスライディングされるように、第１支持プレート２３０の垂直部２３１,２４１には通孔が形成される。
【００３０】
容器がグリッパー２２０に投入されるときのみにスイッチ３１０がオン接点になるように、常時、プッシャー３２０には、容器側に弾支される弾性部材が含まれる。前記弾性部材は、コイルスプリング３３０であり、このコイルスプリング３３０は、両端が容器の首支持部２３２,２４２およびプッシャー３２０にそれぞれ連結され、プッシャー３２０を
容器側に弾支する。容器有無感知手段３００は、第１および第２支持プレート２３０,２
４０に同様に適用されるので、同一符号を与える。
【００３１】
以下、このように構成された本発明による浄水自動販売機の作用を説明する。
まず、購買者がコインを投入して容器選択ボタン(例えば、▲または▼)を選択する。説明の便宜のために、本発明による自動浄水販売機では、２リットルの容器および１ガロンの容器の２種類が使用される場合を説明し、容器選択ボタンは、２種類(▲または▼)に使用される。ここで、１ガロンボタンは"▲"であり、２リットルボタンは"▼"である。
【００３２】
購買者が１ガロン容量の浄水を購買する場合、購買者がコインなどの料金支払手段を投入した後、１ガロン容器ボタン(▲)を押すと、モータ２１０によりグリッパー２２０が回転する。その後、図６に示すように、グリッパー２２０が回転して１ガロン容器用第１支持プレート２３０が１ガロン注入位置に到達すると、センシングによりモータ２１０の駆動が停止されて第１支持プレート２３０が注入位置にセッティングされる。
【００３３】
１ガロン容器Ｂ１の底部を底支持部２３３に取り付けながら容器Ｂ１の首部を容器の首支持部２３２の挿入孔２３２ａに合せて挿入すると、一対の支持片２３４,２３５がコイ
ルスプリング２３６(図５を参照)の弾性力に勝って、それぞれ回転ピン２３４ｂ,２３５
ｂを通して回転して広がるようになり、その間に容器Ｂ１の首部が挿入固定される。
【００３４】
このような方法で容器Ｂ１を挿入すると、容器Ｂ１により容器有無感知手段３００が作動され、位置データがコントローラに入力される。一方、容器有無感知手段３００の作動は、次のようである。図１０に示すように、容器Ｂ１が第１支持プレート２３０に挿入されると、プッシャー３２０が後方にスライディングされ、押し部３２２がスイッチ３１０を押すようになり、オフ状態のスイッチ３１０がオン接点になる。
【００３５】
容器有無感知手段３００により容器Ｂ１のセッティングが感知されると、容器受容部１１１の開口部を開閉するドア(図示せず)により容器受容部１１１が閉鎖されるとともに、グリッパー２２０が１８０゜回転されることで、容器Ｂ１の注入口がオゾン殺菌水排出口１１１ｂに対向して容器Ｂ１の内部がオゾンにより殺菌され、殺菌が終了されると、グリッパー２２０が元の位置(容器Ｂ１の入口が浄水出水口１１１ａに対応する位置)に回転されて出水を待機する。このようにオゾン殺菌が終了されると、浄水手段により浄水された浄水が出水口１１１ａを通して取り出されて容器Ｂ１内に充填される。
【００３６】
以下、浄水手段による浄水過程を、図８に基づいて説明する。図面の左側から、原水が配管および原水ポンプ１２を通して供給されると、まず、マイクロフィルタ２１を通して
原水中に存在する異物質、濁質、浮遊物質などが除去され、その次に、カーボンフィルタ２２を通して原水中に存在する有機物、臭い成分、味成分、残留塩素が除去され、その次に、逆浸透圧ユニット２３を通過しながら前処理された原水中に残留するイオン性物質、濁質、バクテリアなどがほとんど除去され、その次に、紫外線殺菌機２４を通して処理水に存在する微生物、バクテリア、一般の細菌が完全に殺菌処理され、その次に、後処理カーボンフィルタ２５を通して処理水の臭い成分が完全に除去される。
【００３７】
前記後処理カーボンフィルタ２５を経た処理水は、容器Ｂ１への充水に使用され、オゾン発生器２７から発生したオゾンが加えられた浄水は、噴射されて容器Ｂ１に排出される。一方、浄水自動販売機が長時間使用されない場合、圧力タンク２６により逆浸透圧ユニット２３に浄水が充填されるため、ＴＤＳが上昇しない。
【００３８】
浄水の取り出し容量は、既にセッティングされており、１ガロンが取り出されると、取り出しが停止されるとともに、ドア(図示せず)により容器受容部１１１が開放され、購買者は、容器Ｂ１を容器受容部１１１から引き出す。容器Ｂ１が引き出されると、第１支持プレート２３０の一対の支持片２３４,２３５は、コイルスプリング２３６の弾性力によ
り元の状態に復元される。併せて、プッシャー３２０がコイルスプリング３３０の弾性力により元の位置に復帰されることで、スイッチ３１０がオフ接点になる。
【００３９】
一方、１ガロン容器Ｂ１にセッティングされた状態で、購買者が２リットル容量の浄水を購買するために２リットル容器ボタン(▼)を押すと、モータ２１０によりグリッパー２２０が回転することで、２リットル容器用第２支持プレート２４０が出水口１１１ａに到達すると、センシングによりモータ２１０の駆動が停止し、第２支持プレート２４０が出水口１１１ａに対応するようになる。
【００４０】
この状態で、２リットル容器Ｂ２の底部を底支持部２４３に取り付けながら容器Ｂ２の首部を容器の首支持部２４２の挿入孔２４２ａに合せて挿入すると、一対の支持片２４４,２４５がコイルスプリング２４６の弾性力に勝って、それぞれ回転ピン２４２ｂ,２４３ｂを通して回転して広がるようになり、その間に容器Ｂ２の首部が挿入される。
【００４１】
このような方法で容器Ｂ２を挿入して容器Ｂ２のセッティングがセンシングされると、マイクロプロセッサによりモータ２１０が駆動され、容器Ｂ２の注入口がオゾン殺菌水排出口１１１ｂに向かった後、容器Ｂ２の内部がオゾン殺菌され、殺菌が終了されると、容器Ｂ２の注入口が出水口１１１ａに向かうようにグリッパー２２０が回転される。容器Ｂ２を投入したときの容器有無感知手段３００の作用は、前述した１ガロン容器Ｂ１と同様であるので、その説明を省略する。
【００４２】
容器Ｂ２のセッティングが終了されると、浄水手段により浄水された浄水は、出水口１１１ａを通して取り出されて容器Ｂ２内に充填される。浄水の取り出し容量は、既にセッティングされており、２リットルが取り出されると、取り出しが停止されるとともに、ドア(図示せず)に容器受容部１８が開放され、購買者は、容器を容器受容部１１１から引き出す。容器が引き出されると、第２支持プレート２４０の一対の支持片２４４,２４５は
、コイルスプリング２４６の弾性力により元の状態に復元される。
【００４３】
ここでは、容器を選択すると、センシングによりグリッパー２２０の動作が自動に制御される場合を説明したが、これに限定されず、使用者が容器選択ボタンを押す間にモータ２１０が駆動される方式も可能である。
【００４４】
一方、浄水の購買時、容器キャップを殺菌することができ、ドア１３５ａの開放後、キャップ殺菌部１３５にキャップを入れると、紫外線殺菌機１３５ｂによりキャップが殺菌
される。
【００４５】
浄水を購買するための料金投入から出水終了までの全ての過程は、ディスプレイ部１３１のモニター１３１ａを通して画面に出力されるとともに、スピーカー１３１ｂを通して音声で出力されるため、購買者が容易に浄水を購買することができる。
【図面の簡単な説明】
【００４６】
【図１】本発明による浄水自動販売機を示した斜視図である。
【図２】本発明による浄水自動販売機を示した正面図である。
【図３】本発明による浄水自動販売機を示した側面図である。
【図４】本発明による浄水自動販売機に適用されたグリッパーを示した斜視図である。
【図５】本発明による浄水自動販売機に適用された支持片を示した底面斜視図である。
【図６】本発明による浄水自動販売機の作用状態図である。
【図７】本発明による浄水自動販売機の作用状態図である。
【図８】本発明による浄水自動販売機に適用された浄水手段を示した構成図である。
【図９】本発明による浄水自動販売機に適用されたマニホールドを示した構成図である。
【図１０】本発明による浄水自動販売機に適用された容器有無感知手段を示した側面図である。
【図１１】本発明による浄水自動販売機に適用された容器有無感知手段を示した平面図である。
【符号の説明】
【００４７】
１０  原水供給手段
２０  浄水手段
１００  キャビネット
１１０  本体
１１１  容器受容部
１１１ａ  浄水出水口
１１１ｂ  殺菌水排出口
１２０、１３０  ドア
１３１  ディスプレイ部
１３２  料金投入口
１３３  料金返還レバー
１３４  料金返還口
２００  容器支持手段
２１０  モータ
２２０  グリッパー
２３０、２４０  支持プレート
３００  容器有無感知手段
３１０  スイッチ
３２０  プッシャー
３３０  コイルスプリング
【図１】
2005196775.tif 000003
【図２】
2005196775.tif 000004
【図３】
2005196775.tif 000005
【図４】
2005196775.tif 000006
【図５】
2005196775.tif 000007
【図６】
2005196775.tif 000008
【図７】
2005196775.tif 000009
【図８】
2005196775.tif 000010
【図９】
2005196775.tif 000011
【図１０】
2005196775.tif 000012
【図１１】
2005196775.tif 000013